(57)【要約】【課題】営業中の店舗等に対する犯罪抑止効果に優れるシャッタ装置を提供することである。【解決手段】シャッタ装置Ｓは、複数のスラット１，２を横方向に複数連結してなるシャッタパネル３と、各スラット１，２をスライド自在に吊下げる円弧状のハンガレール４と、各スラット１，２の下端をスライド自在に案内する円弧状のガイドレール５と、シャッタパネル３の最先端にあるスラット１，２をハンガレール４に沿って駆動する駆動手段７とを備えて構成される。【選択図】        図１
2007170101.tif 000002
【特許請求の範囲】
【請求項１】
複数のスラットを横方向に複数連結してなるシャッタパネルと、各スラットをスライド自在に吊下げる円弧状のハンガレールと、各スラットの下端をスライド自在に案内する円弧状のガイドレールと、シャッタパネルの最先端にあるスラットをハンガレールに沿って駆動する駆動手段とを備えたシャッタ装置。
【請求項２】
複数のスラットを横方向に複数連結してなる一対のシャッタパネルと、各スラットをスライド自在に吊下げる円弧状のハンガレールと、各スラットの下端をスライド自在に案内する円弧状のガイドレールと、各シャッタパネルの最先端にあるスラットをハンガレールに沿って駆動する駆動手段とを備え、両開きに設定されてなるシャッタ装置。
【請求項３】
駆動手段は、シャッタパネルの最先端にあるスラットに結合されるリンクを備えハンガレールの両端側に設けた二つのスプロケットに巻回されるチェーンと、チェーンをハンガレールに沿わせる案内部材と、一方のスプロケットを回転駆動するモータとを備えていることを特徴とする請求項１または２に記載のシャッタ装置。
【請求項４】
ハンガレールは断面Ｃ型に形成されるとともに各スラットの上端に連結される球体を回転自在に保持し、ガイドレールは各スラットの下端に連結される球体を回転自在に収容する凹部を備え、上記球体は赤道部を回転自在に保持するフランジを介してスラットに連結されてなることを特徴とする請求項１から３のいずれかに記載のシャッタ装置。
【請求項５】
シャッタパネルの最先端にあるスラットに設けた孔に抜き差しされるロッドと、ロッドを孔に向けて前進後退させるロッド駆動手段を備えたことを特徴とする請求項１から４のいずれかに記載のシャッタ装置。
【請求項６】
シャッタパネルの最先端にあるスラットに保持されロッドの前進によって該スラットの外部に設けた外部穴に挿入される可動ロッドと、可動ロッドを外部穴から後退する方向に向けて附勢する附勢手段とを備えていることを特徴とする請求項５に記載のシャッタ装置。
【請求項７】
少なくとも一方のシャッタパネルに設けた可動ロッドは、複数に分割されてなり、その分割された可動ロッドのうち少なくとも一つが他方のシャッタパネルの最先端にあるスラットから伸びる腕に設けた孔に抜き差し可能であることを特徴とする請求項６に記載のシャッタ装置。
【請求項８】
シャッタパネルの最先端にあるスラットの上下に渡りクッションを設けたことを特徴とする請求項１から７のいずれかに記載のシャッタ装置。
【請求項９】
ハンガレールおよびガイドレールの終端にシャッタパネルを収容するシャッタボックスを設け、該シャッタボックスは、シャッタパネルが収容される渦巻状の空部を備えていることを特徴とする請求項１から８のいずれかに記載のシャッタ装置。
【発明の詳細な説明】
【技術分野】
【０００１】
この発明は、シャッタ装置の改良に関する。
【背景技術】
【０００２】
従来、この種シャッタ装置としては、たとえば、主として防犯目的で、建築物や構造物（以下、「建築物等」という）の出入口に設置されており、上下方向に連結される複数のスラットからなるシャッタパネルと、該シャッタパネルを巻き上げるドラムと、柱等に設けられシャッタパネルの左右端を案内するガイド溝とを備えて構成されている。
【０００３】
そして、このように構成されたシャッタ装置は、基本的には、建築物等の出入口だけでなく、柱間全部を遮断するようになっており、建築物等から人気がなくなる夜間や休日に建築物等への強盗や空き巣の侵入を困難とすることが主目的とされている（特許文献１参照）。
【特許文献１】特開平７−１２７３６２号公報（図９，１０）
【発明の開示】
【発明が解決しようとする課題】
【０００４】
すなわち、従来のシャッタ装置では、建築物等の出入口を遮断することができるが、柱間を遮断するようになっているので、シャッタパネルが左右方向に長く、開閉に時間がかかってしまう。
【０００５】
すると、建築物等で店舗等を営業する場合、従来のシャッタ装置では、営業中の店舗等に強盗が侵入しても、強盗を捕らえることが難しく、また、強盗と思しき者の店舗等への侵入を許してしまい、結果的に、夜間等の防犯に対しては犯罪抑止効果があると言えるが、営業中の店舗等に対する防犯には役に立ちにくい。
【０００６】
そこで、本発明は、上記した不具合を改善するために創案されたものであって、その目的とするところは、営業中の店舗等に対する犯罪抑止効果に優れるシャッタ装置を提供することである。
【課題を解決するための手段】
【０００７】
上記した目的を達成するために、本発明のシャッタ装置は、複数のスラットを横方向に複数連結してなるシャッタパネルと、各スラットをスライド自在に吊下げる円弧状のハンガレールと、各スラットの下端をスライド自在に案内する円弧状のガイドレールと、シャッタパネルの最先端にあるスラットをハンガレールに沿って駆動する駆動手段とを備えて構成される。
【０００８】
また、本発明の他のシャッタ装置は、複数のスラットを横方向に複数連結してなる一対のシャッタパネルと、各スラットをスライド自在に吊下げる円弧状のハンガレールと、各スラットの下端をスライド自在に案内する円弧状のガイドレールと、各シャッタパネルの最先端にあるスラットをハンガレールに沿って駆動する駆動手段とを備え、両開きに設定されてなる。
【発明の効果】
【０００９】
本発明のシャッタ装置にあっては、シャッタパネルの最先端のスラットを駆動するので、シャッタパネルをハンガレールおよびガイドレールに沿って高速にスライドさせてシャッタ装置を高速に閉じることが可能である。
【００１０】
また、ハンガレールおよびガイドレールが円弧状とされているので、出入口のドア形式によらずドアを回避する位置でシャッタパネルが駆動されることから確実にシャッタ装置を閉じることができる。
【００１１】
したがって、建築物等で店舗等を営業する場合、従来のシャッタ装置では、営業中に強盗が侵入しても、強盗を捕らえることが難しかったが、本発明のシャッタ装置では確実に高速に閉じることができるので、強盗と思しき者の店舗内への侵入を防止することができ、さらには、強盗を店舗等内に捕獲することができる。
【００１２】
そして、強盗に高速で閉じるシャッタ装置の存在を知らしめることができるので、夜間のみならず、昼間の営業中にあっても、強盗に犯罪を行っても捕らえられるか未遂となるということを自覚させることができ、犯罪抑止効果が飛躍的に向上することになる。
【００１３】
また、シャッタパネルは、円弧状のハンガレールとガイドレールに沿ってスライドすることから、店舗等の出入口が建築物等の柱間の中央に配置されるような場合にあっても、店舗等内に無理なく設置可能であり、コーナーに配置される出入口にも無理なく設置でき、シャッタ装置を店舗等内に省スペースで設置することが可能である。
【００１４】
また、シャッタパネルは、円弧状のハンガレールとガイドレールに沿ってスライドすることから、出入口のドアが内開きのドアであっても、シャッタ装置の後付によって出入口からの人の出入りが不能となってしまう弊害がないので、シャッタ装置の汎用性、実用性が向上する。
【００１５】
さらに、シャッタ装置が両開きとされる場合には、各シャッタパネルの移動距離が短くなるので、より高速にシャッタ装置を閉じることができる。
【発明を実施するための最良の形態】
【００１６】
以下に、図示した実施の形態に基づいて、この発明を説明する。図１は、一実施の形態におけるシャッタ装置の正面図である。図２は、一実施の形態におけるシャッタ装置の平面図である。図３は、店舗等へのシャッタ装置の設置例を示す図である。図４は、一実施の形態におけるシャッタ装置のシャッタボックスにシャッタパネルが収納されている状態を示す図である。図５は、一実施の形態におけるシャッタ装置のシャッタパネルの最先端のスラットの上部の側面図である。図６は、一実施の形態におけるシャッタ装置のシャッタパネルのスラットの下部の側面図である。図７は、一実施の形態のシャッタ装置におけるシャッタパネルの最先端のスラットの拡大正面図である。図８は、一実施の形態のシャッタ装置におけるシャッタパネルの最先端のスラットの拡大側面図である。
【００１７】
一実施の形態におけるシャッタ装置Ｓは、図１および図２に示すように、複数のスラット１，２を横方向に複数連結してなる一対のシャッタパネル３，３と、各スラット１，２をスライド自在に吊下げる円弧状のハンガレール４，４と、各スラット１，２の下端を案内する円弧状のガイドレール５，５と、各シャッタパネル３，３を収容する円筒状のシャッタボックス６，６と、各シャッタパネル３，３の最先端にあるスラット２，２をハンガレール４，４に沿って駆動させる駆動手段７，７とを備え、各部は基本的には左右対照に構成されて、シャッタパネル３，３は、いわゆる両開きに設定され、このシャッタ装置Ｓは、図３に示すように、建築物等内の店舗等Ｒの出入口Ｅに設置されている。
【００１８】
以下、このシャッタ装置Ｓの各部について、詳しく説明すると、シャッタパネル３を構成するスラット１，２のうち、最先端のスラット２以外のスラット１は、図４に示すように、左右端は上下全幅に渡って湾曲されてフック状となす連結部１１が形成されており、各スラット１は、上記連結部１１同士を連結することによって横方向に向けて連結される。なお、各スラット１の一方側の連結部１１の外径は、他方側の連結部１１の内径より小径とされており、隣り合うスラット１の一方側の連結部１１を他方側の連結部１１内に嵌合せしめることで、スラット１同士は所定角度範囲内での遥動が許容されるようになっている。
【００１９】
また、シャッタパネル３の最先端のスラット２は、隣接するスラット１の連結部１１に遥動可能に連結されることが可能なように、一端側に上下全幅に渡って上記した連結部１１と同様の連結部２１を備えるとともに、他端側には、上下全幅に渡ってゴム等のクッション部材２６を備えた中空な角パイプ２２が連結されている。なお、上記最先端のスラット２は、シャッタパネル３が閉じる方向の先頭のスラットであり、中空な角パイプ２２を採用しているので、スラット２を軽量なものとすることができる。
【００２０】
また、このスラット２は、図４および図５に示すように、角パイプ２２の上端に設けた断面コ字状のブラケット２３が設けられており、このブラケット２３の対向する側部内周面には樹脂製のスライド部材２４，２４が取り付けられるとともに、また、ブラケット２３の頂部内方には後述するハンガレール４の上端面上を転がるローラ２５が設けられている。
【００２１】
さらに、上記した各スラット１，２の上下端には、図５および図６に示すように、球体９の赤道部を回転自在に保持するフランジ８がそれぞれ取り付けられている。
【００２２】
そして、左右のシャッタパネル３，３を構成する各スラット１，２の上端側にフランジ８を介して回転自在に保持される球体９は、図５に示すように、断面が開口部先細りのＣ型であって円弧状に形成される左右のハンガレール４，４内にそれぞれ収容され、これによってシャッタパネル３，３はハンガレール４，４にそれぞれハンガレール４，４に沿ってスライド自在に吊下げられる。なお、ハンガレール４，４の断面形状が上記のようになっているので、フランジ８が邪魔にならず、球体９はハンガレール４内を滑らかに転がって移動することができ、シャッタパネル３，３は、それぞれハンガレール４，４に沿って滑らかにスライドすることができるようになっている。
【００２３】
このハンガレール４，４は、図５に示すように、ともに、複数の梁材を格子状に組み合わせて構成され、建築物等の天井や壁に支持されるフレームＦに各スラット２，２に設けたブラケット２３，２３に干渉しないように取付金具４１を介して取り付けられている。
【００２４】
また、左右のシャッタパネル３，３を構成する各スラット１，２の下端側にフランジ８を介して回転自在に保持される球体９は、図６に示すように、円弧状のガイドレール５，５内に収容されガイドレール５，５に沿って案内されるようになっている。このガイドレール５，５は、それぞれ、内周側に傾斜部を備えるとともに外周側が下方に凸となる彎曲部を備えた円弧状の内周側レール５１，５１と、外周側に傾斜部を備えるとともに内周側が下方に凸となる彎曲部を備えた円弧状の外周側レール５２，５２と、内周側レール５１と外周側レール５２の彎曲部が収容される断面コ字状の溝部材５３，５３とを備えて構成され、上記内周側レール５１の彎曲部と外周側レール５２の彎曲部を対面させて上記溝部材５３の内方に収容することによって、球体８が収容される凹部が形成され、また、シャッタパネル４，４の重量を受けても溝部材５３で内周側レール５１と外周側レール５２との間隔が維持されるようになっている。
【００２５】
そして、上記したように、内周側レール５１および外周側レール５２は、ともに傾斜部を備えているので、図３に示すように、シャッタ装置Ｓを店舗等Ｒ内に設置しても、店舗等Ｒに出入りする人がガイドレール５に躓いたり、歩行の妨げとなったりすることがない。
【００２６】
また、球体９が収容される凹部は、内周側と外周側で分割される彎曲部、すなわち、内周側レール５１と外周側レール５２の各彎曲部で形成されるようになっているので、フランジ８が邪魔にならず、球体９はガイドレール５内を滑らかに転がって移動することができ、シャッタパネル３，３は、それぞれガイドレール５，５に沿って滑らかにスライドすることができるようになっている。
【００２７】
上記した左側のハンガレール４とガイドレール５は、図１に示すように、対を成してシャッタパネル３を案内しており、右側のハンガレール４とガイドレール５も対を成してシャッタパネル３を案内することになる。
【００２８】
そして、図２および図４に示すように、ハンガレール４とガイドレール５のシャッタパネル３の閉じ方向を先端とした場合の後端部は、それぞれ円筒状のシャッタボックス６内に接線方向から通じており、シャッタパネル３が開放方向へ移動せしめられると、シャッタパネル３は、シャッタボックス６内に収容される。
【００２９】
このシャッタボックス６は、円筒状の外筒６１と、シャッタパネル３を収容可能な渦巻状の空部６３を備えた樹脂製の収納ガイド６２とを備えて構成されており、シャッタパネル３が開放方向へ移動せしめられると、シャッタパネル３は、上記収納ガイド６２に案内されてシャッタボックス６内に渦巻状に収容されるようになっている。
【００３０】
つづいて、シャッタパネル３，３を駆動する駆動手段７，７について説明する。駆動手段７，７は、それぞれシャッタパネル３の最先端にあるスラット２に結合されるリンクａを備えハンガレール４の両端側に設けた二つのスプロケット７１，７２に巻回されるチェーン７３と、チェーン７３をハンガレール４に沿わせる円弧状の案内部材７４とを備えるとともに、各駆動手段７，７における各チェーン７３，７３を一方のスプロケット７１，７１を回転駆動することによって駆動するモータ７５を備えて構成されている。
【００３１】
詳しくは、左右のチェーン７３，７３は、複数のリンクを環状に連結して構成され、そのうち一つのリンクａは、図４に示すように、シャッタパネル３の最先端のスラット２に取り付けたブラケット２３に連結されている。また、左右のチェーン７３，７３は、それぞれフレームＦに回転自在に取り付けられてハンガレール４の両端内周側に設置されるスプロケット７１，７２に巻回されるとともに、ハンガレール４に近い弦の部分は、樹脂製の円弧状の案内部材７４によって案内されてハンガレール４に沿わされている。
【００３２】
また、フレームＦには、チェーン７３，７３にテンションを与えるテンショナ７６，７６が取り付けられている。この各テンショナ７６は、基端がフレームＦに回転自在に取り付けられた腕７７と、腕７７の先端に回転移自在に取り付けたテンショナスプロケット７８と、腕７７をチェーン７３のループ内方へ向けて附勢するテンションスプリング７９とで構成されており、テンショナスプロケット７８をハンガレール４から遠い弦の中間部に歯合させて、チェーン７３にテンションを与えている。
【００３３】
したがって、チェーン７３のテンションは、上記テンショナ７６によって最適に維持され、チェーン７３のスプロケット７１，７２からの脱落が防止されている。
【００３４】
そして、モータ７５はフレームＦに取り付けられ、モータ７５の動力は、やはりフレームＦにそれぞれ取り付けられるベルト伝動機構８０、かさ歯車機構８１、チェーン伝動機構８２を介して各スプロケット７１，７１に伝達され、モータ７５を駆動することによって左右のチェーン７３，７３が互いに逆回りとなる方向に駆動されるようになっている。
【００３５】
すなわち、モータ７５を一方側に回転駆動すると、図２中、左のチェーン７３が案内部材７４に案内されて時計回りに、右のチェーン７３が案内部材７４に案内されて反時計回りに駆動され、上記各チェーン７３，７３のリンクａ，ａに連結されたスラット２，２が互いに離れる方向に移動し、シャッタパネル３，３が同期して開く方向に駆動され、シャッタパネル３，３をそれぞれシャッタボックス６，６内に収納することができ、シャッタ装置Ｓは開かれる。
【００３６】
他方、モータ７５を他方側に回転駆動すると、図２中、左のチェーン７３が案内部材７４に案内されて反時計回りに、右のチェーン７３が案内部材７４に案内されて時計回りに駆動され、上記各チェーン７３，７３のリンクａ，ａに連結されたスラット２，２が互いに近づく方向に移動し、最終的には各スラット２，２同士がクッション部材２６，２６を介して当接するまでシャッタパネル３，３が同期して閉じる方向に駆動され、シャッタ装置Ｓは閉じられる。
【００３７】
なお、上記各チェーン７３，７３は、駆動時に案内部材７４，７４によってハンガレール４，４に沿って案内されるので、シャッタパネル３，３は、ハンガレール４，４に沿ってスライドすることができ、シャッタパネル３，３の閉じる方向の最先端となる各スラット２，２が駆動されるので、シャッタパネル３，３を高速に閉じる方向に駆動することが可能である。そして、上記球体９のハンガレール４およびガイドレール５に対する滑らかな移動によって上記シャッタパネル３，３のスライドが滑らかとなりシャッタパネル３，３の閉じ方向への移動をより一層高速なものとすることができる。
【００３８】
さらに、各スラット２には、ハンガレール４の上面に接して転がるローラ２５と、ハンガレール４の側面と対面するスライド部材２４，２４とがブラケット２３を介して取り付けられているので、スラット２のハンガレール４に対する上下方向および左右方向のガタツキが防止されており、この点でもシャッタパネル３の滑らかな移動が保証されてシャッタパネル３の閉じ方向への高速移動が担保されることになる。
【００３９】
また、シャッタボックス６は、従来シャッタ装置のようなドラム巻取式ではなく、渦巻状の空部６３がシャッタパネル３の閉じ方向の移動を妨げることがないので、この点でもシャッタパネル３の閉じ方向への高速移動が担保される。
【００４０】
なお、上記したモータ７５は、店舗Ｒ内に設置されるコントローラＣによって制御され、基本的には、コントローラＣを手動操作することによって、シャッタ装置Ｓを開閉することができるようになっている。
【００４１】
そして、シャッタパネル３，３の駆動源をモータ７５としているので、シャッタパネル３，３の開閉速度の制御が容易となり、また、応答性もよい。なお、シャッタパネル３，３の開閉駆動中にモータ７５のトルクを検出できるようにしておき、トルクが所定値以上となるときに、モータ７５の駆動を停止するようにしておけば、シャッタパネル３，３が完全に開いた際と閉じた際に自動的にモータ７５の駆動を自動的に停止でき、また、シャッタパネル３，３間に人間等が挟まった際にモータ７５を自動的に停止することができる。
【００４２】
さらに、シャッタパネル３，３が閉動作するときに、最先端の各スラット２，２には、それぞれクッション部材２６，２６が設けられているので、シャッタパネル３，３がシャッタ装置Ｓを完全に閉じる位置まで移動した際に仮にシャッタパネル３，３同士が衝突するような事態となっても、上記クッション部材２６，２６によって、衝突時の衝撃が緩和される。
【００４３】
つづき、上記シャッタパネル３，３がシャッタ装置Ｓを完全に閉じる位置まで移動した後の、シャッタパネル３，３の施錠について説明する。
【００４４】
上記シャッタパネル３，３の施錠についての構造は、図７および図８に示すように、各シャッタパネル３，３の最先端にあるスラット２に設けた孔９１を備えた受金９２と、上記孔９１に抜き差し可能なロッド９３と、ロッド９３を上記孔９１に向けて前進後退させるロッド駆動手段たるソレノイド９４と、上記スラット２に保持されロッド９３の前進によって該スラット２の外部に設けた外部穴９５に挿入される可動ロッド９６と、可動ロッド９６を外部穴９５から後退する方向に向けて附勢する附勢手段たるスプリング９７とを備えて構成されている。
【００４５】
受金９２は、スラット２の角パイプ２２の図７中正面側に取り付けられており、この受金９２には上下に貫通する孔９１が設けられており、この孔９１には、スラット２の上下方向に沿って駆動されるロッド９３が挿入可能なようになっている。
【００４６】
そして、各受金９２，９２のそれぞれの孔９１に抜き差しされるロッド９３，９３は、ともに上端部が、フレームＦに固定されたソレノイド９４の可動鉄心９４ａに連結されるプレート９４ｂに取り付けられており、ソレノイド９４を駆動することによってロッド９３，９３は、同期して上下動し、各スラット２，２がシャッタ装置Ｓを完全に閉じる位置にある場合に下方に移動すると孔９１に挿入されて各スラット２，２の上端部をその場から移動不能に固定してシャッタパネル３，３を施錠してシャッタ装置Ｓを閉じた状態に維持できる。逆に、ロッド９３，９３が上方に移動せしめられると、ロッド９３，９３が上記孔９１から抜け出て各スラット２，２を移動可能な状態とすることができる。
【００４７】
そして、可動ロッド９６は、上方側の可動ロッド９６ａと下方側の可動ロッド９６ｃの二つに分割されており、上方側の可動ロッド９６ａは、スラット２の角パイプ２２の図７中正面に取り付けられた二つロッドガイド９８ａ，９８ｂに上下移動可能に支持されるとともに、可動ロッド９６ａが挿通されるとともに、上記可動ロッド９６ａの途中に設けたバネ受け９６ｂと、スラット２のロッドガイド９８ｂより下方となる位置に取り付けられたバネ受け１００との間に介装されたスプリング９７によって上方側に向けて附勢されている。
【００４８】
他方の、下方側の可動ロッド９６ｃもまた、スラット２の角パイプ２２の図７中正面に取り付けられた二つのロッドガイド９９ａ，９９ｂに上下移動可能に支持されるとともに、可動ロッド９６ｃが挿通されるとともに、上記可動ロッド９６ｃの途中に設けたバネ受け９６ｄと、スラット２のロッドガイド９９ｂより下方となる位置に取り付けられたバネ受け１０１との間に介装されたスプリング９７によって上方側に向けて附勢されている。
【００４９】
そして、図７中左側のスラット２の角パイプ２２の正面であって上記バネ受け１００の直下には、同左側のスラット２に設けられる可動ロッド９６ａの先端が抜き差しされる孔１１０と、右側のスラット２に設けられる可動ロッド９６ａの先端が抜き差しされる孔１１１と、を備えた腕１１２が取り付けられており、ロッド９３，９３を下方に移動させて、各可動ロッド９６ａ，９６ａを下方に押すと、各可動ロッド９６ａ，９６ａがそれぞれ孔１１０，１１１内に挿入されて、各スラット２同士がその中間部で一体化されてシャッタパネル３，３を施錠してシャッタ装置Ｓを閉じた状態に維持できる。逆にロッド９３，９３を上方に移動させると、可動ロッド９６ａ，９６ａはスプリング９７，９７によって上方側に移動して、孔１１０，１１１から抜き出て、各スラット２，２を移動可能な状態とすることができる。
【００５０】
さらに、外部穴９５は、具体的には、各ガイドレール５，５の外周側レール５２に設けられている。そして、各スラット２，２がシャッタ装置Ｓを完全に閉じる位置にある場合に、下方側の可動ロッド９６ｃ，９６ｃが下方に移動せしめられると、可動ロッド９６ｃ，９６ｃの先端がそれぞれ外部穴９５，９５内に挿入されて、各スラット２，２の下端部をその場から移動不能に固定してシャッタパネル３，３を施錠してシャッタ装置Ｓを閉じた状態に維持できる。逆に、可動ロッド９６ｃ，９６ｃが上方に移動せしめられると、可動ロッド９６ｃ，９６ｃがスプリング９７，９７の附勢力によって上記外部穴９５，９５から抜け出て各スラット２，２を移動可能な状態とすることができる。
【００５１】
上記した下方側の可動ロッド９６ｃ，９６ｃは、ソレノイド９４によって駆動されるロッド９３，９３が下方へ移動すると、上方側の駆動ロッド９６ａ，９６ａを介して押し下げられるようになっており、ソレノイド９４の駆動によって各スラット２，２の下端部の固定と開放とを切り替えることができる。
【００５２】
したがって、ソレノイド９４を駆動してロッド９３，９３を上下移動させることによって、シャッタパネル３，３の固定と開放とを切り替えることができる、いわゆるフランス落し構造とされ、また、各スラット２，２の上下および中間部で固定することができるので、強固にシャッタ装置Ｓの閉じた状態に施錠することが可能である。
【００５３】
なお、左側の可動ロッド９６は、分割せずに上方側の可動ロッド９６ａと下方側の可動ロッド９６ｃとを一体としておいてもよい。
【００５４】
また、ソレノイド９４を用いているので、シャッタパネル３，３を瞬時に施錠することが可能となっている。なお、ソレノイド９４の駆動については、モータ７５と同様に上述のコントローラＣで手動制御できるようにしておけばよいが、たとえば、各スラット２，２の位置を検知する位置センサを設けてシャッタ装置Ｓが閉じた状態か否かを判断できるようにして、ソレノイド９４を駆動する制御装置を設けておき、シャッタ装置Ｓが閉じると自動的にシャッタパネル３，３を施錠するようにしておいてもよい。なお、このようにする場合には、シャッタ装置Ｓを閉じる操作をした際には、シャッタ装置Ｓが閉じるとモータ７５の駆動を停止するように制御することが望ましい。
【００５５】
上記したところでは、シャッタ装置Ｓは両開きとされているが、シャッタ装置Ｓの図１中左側もしくは右側部分を独立して片開きのシャッタ装置とすることも可能であり、図３に示すように、店舗等Ｒのコーナーの出入口Ｅ２にこの片開きのシャッタ装置Ｓ２を設置するようにすれば、シャッタ装置Ｓ２で店舗等Ｒのスペースを無駄に消費してしまうことがない。なお、片開きとする場合には、スラット２に設けられる腕１１２は店舗等Ｒの壁に設けておけばよく、また、腕１１２を設けておかなくとも、スラット２の上下で固定することが可能であるので、シャッタパネル３の施錠の点では問題ない。
【００５６】
そして、このように構成されたシャッタ装置Ｓ，Ｓ２にあっては、上述のように、シャッタパネル３の最先端のスラット２を駆動するので、シャッタパネル３をハンガレール４およびガイドレール５に沿って高速にスライドさせてシャッタ装置Ｓを高速に閉じることが可能である。
【００５７】
また、ハンガレール４およびガイドレール５が円弧状とされているので、出入口Ｅ，Ｅ２のドア形式によらずドアを回避する位置でシャッタパネル３が駆動されることから確実にシャッタ装置Ｓ，Ｓ２を閉じることができる。
【００５８】
したがって、建築物等で店舗等Ｒを営業する場合、従来のシャッタ装置では、営業中に強盗が侵入しても、強盗を捕らえることが難しかったが、本発明のシャッタ装置Ｓでは確実に高速に閉じることができるので、強盗と思しき者の店舗内への侵入を防止することができ、さらには、強盗を店舗等Ｒ内に捕獲することができる。
【００５９】
そして、強盗に高速で閉じるシャッタ装置Ｓ，Ｓ２の存在を知らしめることができるので、夜間のみならず、昼間の営業中にあっても、強盗に犯罪を行っても捕らえられるか未遂となるということを自覚させることができ、犯罪抑止効果が飛躍的に向上することになる。
【００６０】
さらに、シャッタパネル３の施錠が可能であるので、効果的に強盗の捕獲あるいは強盗の侵入防止を実現することができるとともに、また、複数箇所で各スラット２，２を閉じた状態に固定する場合には、強固にシャッタ装置Ｓ，Ｓ２を閉じた状態に維持することができるので、強盗の捕獲あるいは強盗の侵入防止を確実なものとすることができる。
【００６１】
なお、夜間や休日等の店舗等Ｒに店員が不在である状況では、シャッタ装置Ｓ，Ｓ２を開放状態として赤外線センサ等の人感センサで閉じるようにしておけば、夜間等の強盗に店舗等Ｒへの侵入に対して、このシャッタ装置Ｓ，Ｓ２を強盗の捕獲を主目的として使用することも可能である。
【００６２】
また、シャッタパネル３は、円弧状のハンガレール４とガイドレール５に沿ってスライドすることから、店舗等Ｒの出入口Ｅが建築物等の柱間の中央に配置されるような場合にあっても、店舗等Ｒ内に無理なく設置可能であり、コーナーに配置される出入口Ｅ２にも無理なく設置でき、シャッタ装置Ｓ，Ｓ２を店舗等Ｒ内に省スペースで設置することが可能である。また、シャッタパネル３は、円弧状のハンガレール４とガイドレール５に沿ってスライドすることから、出入口Ｅ，Ｅ２のドアが内開きのドアであっても、シャッタ装置Ｓ，Ｓ２の後付によって出入口Ｅ，Ｅ２からの人の出入りが不能となってしまう弊害がないので、シャッタ装置Ｓ，Ｓ２の汎用性、実用性が向上する。
【００６３】
さらに、シャッタ装置Ｓが両開きとされることで、各シャッタパネル３，３の移動距離が短くなるので、より高速にシャッタ装置Ｓを閉じることができる。
【００６４】
なお、シャッタパネル３の施錠について、ロッド９３の駆動をソレノイド９４によって行っているが、これをモータとして、モータの回転運動を適宜の機構を用いて、ロッド９３の上下方向の運動に変換するようにしてもよい。
【００６５】
以上で、本発明の実施の形態についての説明を終えるが、本発明の範囲は図示されまたは説明された詳細そのものには限定されないことは勿論である。
【図面の簡単な説明】
【００６６】
【図１】一実施の形態におけるシャッタ装置の正面図である。
【図２】一実施の形態におけるシャッタ装置の平面図である。
【図３】店舗等へのシャッタ装置の設置例を示す図である。
【図４】一実施の形態におけるシャッタ装置のシャッタボックスにシャッタパネルが収納されている状態を示す図である。
【図５】一実施の形態におけるシャッタ装置のシャッタパネルの最先端のスラットの上部の側面図である。
【図６】一実施の形態におけるシャッタ装置のシャッタパネルのスラットの下部の側面図である。
【図７】一実施の形態のシャッタ装置におけるシャッタパネルの最先端のスラットの拡大正面図である。
【図８】一実施の形態のシャッタ装置におけるシャッタパネルの最先端のスラットの拡大側面図である。
【符号の説明】
【００６７】
１，２ スラット
３  シャッタパネル
４  ハンガレール
５  ガイドレール
６  シャッタボックス
７  駆動手段
８  フランジ
９  球体
１１  連結部
２１  連結部
２２  角パイプ
２３  ブラケット
２４  スライド部材
２５  ローラ
２６  クッション部材
４１  取付金具
５１  内周側レール
５２  外周側レール
５３  溝部材
６１  外筒
６２  収納ガイド
６３  空部
７１，７２  スプロケット
７３  チェーン
７４  案内部材
７５  モータ
７６  テンショナ
７７  腕
７８  テンショナスプロケット
７９  テンションスプリング
８０  ベルト伝動機構
８１  かさ歯車機構
８２  チェーン伝動機構
９１  孔
９２  受金
９３  ロッド
９４  ソレノイド
９４ａ  可動鉄心
９４ｂ  プレート
９５  外部穴
９６  可動ロッド
９６ａ  上方側の可動ロッド
９６ｂ，９６ｄ  バネ受け
９６ｃ  下方側の可動ロッド
９７  スプリング
９８ａ，９８ｂ，９９ａ，９９ｂ  ロッドガイド
１００，１０１  バネ受け
１１０，１１１  孔
１１２  腕
ａ  リンク
Ｃ  コントローラ
Ｅ，Ｅ２  出入口
Ｆ  フレーム
Ｒ  店舗等
Ｓ  シャッタ装置
【図１】
2007170101.tif 000003
【図２】
2007170101.tif 000004
【図３】
2007170101.tif 000005
【図４】
2007170101.tif 000006
【図５】
2007170101.tif 000007
【図６】
2007170101.tif 000008
【図７】
2007170101.tif 000009
【図８】
2007170101.tif 000010